(57)【特許請求の範囲】
【請求項１】
基材に、少なくとも第１のハーフトーン領域と第２のハーフトーン領域とが隣接するように複数配置されて可視画像と少なくとも一つの潜像画像が形成された印刷物であって、
前記第１のハーフトーン領域は、第１の色材により前記可視画像を形成する第１の網点部を有し、
前記第２のハーフトーン領域は、油溶性染料を含む第２の色材により第一の潜像画像を形成する第２の網点部と、前記第２の網点部と隣接する位置に、前記第２の色材と等色で、かつ、前記油溶性染料を含有しない第３の色材により、前記第２の網点部をカムフラージュするための第１の背景部を有し、
前記第２のハーフトーン領域に形成された前記第２の網点部の面積が異なることで階調を有する前記第一の潜像画像が形成され、
前記印刷物を通常光下で観察すると、前記可視画像が視認され、
前記印刷物を有機溶剤に浸漬するか、又は有機溶剤を滴下すると、前記第２の色材に含まれる前記油溶性染料が溶出して色変化することによって、前記可視画像が形成された領域と少なくとも一部が重複する位置に前記階調を有する前記第一の潜像画像が出現することを特徴とする潜像画像を有する印刷物。
【請求項２】
前記第１のハーフトーン領域に形成された前記第１の網点部の面積が異なることで階調を有する前記可視画像が形成されたことを特徴とする請求項１記載の潜像画像を有する印刷物。
【請求項３】
前記第３の色材は、更に特定の条件下おいて異なる色に変化する第１の機能性材料を含み、
前記印刷物を前記特定の条件下により観察すると、前記第２のハーフトーン領域における前記第１の背景部により形成された前記第一の潜像画像が視認されることを特徴とする請求項１又は２記載の潜像画像を有する印刷物。
【請求項４】
前記第１のハーフトーン領域内に、第３の網点部及び前記第３の網点部と隣接する位置に形成された第２の背景部から成る第３のハーフトーン領域が形成され、
前記第３の網点部は、特定の条件下において異なる色に変化する第２の機能性材料を有する第４の色材により形成されたことで第二の潜像画像を形成し、
前記第２の背景部は、可視光源下において前記第３の網点部と等色で、かつ、前記第４の色材が有する第２の機能性材料を有しない第５の色材により形成され、
前記第１の網点部、前記第２の網点部及び前記第１の背景部が前記第４の色材が有する第２の機能性材料を含まないことで、前記第２の機能性材料を可視化する特定の条件下で観察すると、前記第３の網点部により形成された前記第二の潜像画像が更に視認されることを特徴とする請求項１又は２記載の潜像画像を有する印刷物。
【請求項５】
前記第３のハーフトーン領域に形成された前記第３の網点部の面積が異なることで、階調を有する前記第二の潜像画像が形成されたことを特徴とする請求項４記載の潜像画像を有する印刷物。
【請求項６】
前記第３の色材は、更に特定の条件下おいて異なる色に変化する第１の機能性材料を含み、
前記第３の網点部は、特定の条件下において異なる色に変化する前記第１の機能性材料とは異なる第２の機能性材料を有する第４の色材により形成されたことで第二の潜像画像を形成し、
前記第２の背景部は、可視光源下において前記第３の網点部と等色で、かつ、前記第１の機能性材料及び前記第２の機能性材料を有しない第５の色材により形成され、
前記第１の機能性材料を可視化する特定の条件下で観察すると、前記第１の背景部により形成された前記第一の潜像画像が視認され、前記第２の機能性材料を可視化する特定の条件下で観察すると、前記第３の網点部で形成された前記第二の潜像画像が視認されることを特徴とする請求項４又は５記載の潜像画像を有する印刷物。
【請求項７】
前記第３の色材に含まれる前記第１の機能性材料及び／又は前記第４の色材に含まれる前記第２の機能性材料は、赤外線吸収材料、メタメリックペア材料、サーモクロミック材料、発光材料又は光輝性材料から選択されるいずれか一つ又は複数の組み合わせであることを特徴とする請求項３乃至６のいずれか一項に記載の潜像画像を有する印刷物。
【発明の詳細な説明】
【技術分野】
【０００１】
本発明は、紙幣、旅券、有価証券及び各種証明書等の貴重印刷物の偽造防止及び改ざん防止機能が必要とされる潜像画像を有する印刷物に関するものである。
【背景技術】
【０００２】
近年、カラー複写機の高機能化及び高画質化に伴い、紙幣及び有価証券等の貴重印刷物の偽造品が出回り、深刻な問題となっている。そのため、従来から貴重印刷物には、複写機では再現することが困難な機能性インキや、網点構成から成る画像が多く用いられている。また、これらの貴重印刷物に印字された文字、消印、割印等を有機溶剤等により消去し、改ざんする行為も多発している。
【０００３】
複写機等による偽造を防止する方法として、複写機では再現することができない機能性インキ等を用いて印刷物を作成する技術があり、機能性インキとしては、赤外線透過吸収ペアインキ、メタメリックペアインキ、蛍光インキ、パールインキ及びパールインキ等がある。しかしながら、前述した機能性インキを用いた印刷物は、真正物と同じ材料が入手された場合、真正物と同様の偽造品が作製されるという問題がある。
【０００４】
そこで、本出願人は、複製が困難な印刷物として、二つの異なる画像を同一平面上に網点画像として均等に配置する場合において、一般の商業印刷で使用されているシアン（Ｃ）、マゼンタ（Ｍ）、イエロー（Ｙ）及びブラック（Ｂｋ）の基本インキを用いて、通常光下で観察される可視画像と、赤外線光下で観察される潜像画像を生成した網点印刷物について出願している（例えば、特許文献１参照）。
【０００５】
この印刷物は、一般の商業印刷で使用されているシアン（Ｃ）、マゼンタ（Ｍ）及びイエロー（Ｙ）が赤外線吸収特性を有しないため、これらを重ね合わせた混色ブラックと、紫外線領域から赤外線領域までの全域にわたり吸収を示すカーボンブラックを主体としたブラック（Ｂｋ）を用いて可視画像及び潜像画像を形成する網点を配置している。
【０００６】
前述のシアン（Ｃ）、マゼンタ（Ｍ）、イエロー（Ｙ）及びブラック（Ｂｋ）を用いて所定の配置規則に基づき印刷された網点印刷物は、通常光下で視認することができる可視画像内に、赤外線カメラ等の鑑定装置を用いて観察することができる潜像画像を埋め込むことができる。当該網点印刷物は、特殊なインキを用いる必要がないため、安価に作製することが可能であり、現在の写真製版装置での複製が不可能であることから、偽造防止効果に優れる。
【０００７】
また、各種証明書等に印字されている個人情報等を有機溶剤により消去する改ざん行為に対する対策として、用紙やインキ等に変色効果等を有する材料を改ざん防止のために配合し、当該印刷物が有機溶剤等に接触した場合には、印刷物に使用した用紙やインキ等が変色することによって、改ざんを防止する印刷物がある。
【０００８】
これらの印刷物は、有機溶剤を使用した改ざん行為に対し、インキ及び印刷物を変色させようとすると、印刷インキに含まれる油溶性染料が溶出することで、油溶性染料の色が滲むか、又は印刷画線の色が退色する効果を得るものであるが、一般的な改ざん防止インキでは、大幅な色変化は見込めないため、改ざんの痕跡を顕著に確認することができるものではなかった。
【０００９】
そこで、本出願人は、水不溶性有機溶剤可溶型の油溶性染料と着色顔料を含むインキを作製し、油溶性染料が有する色と補色の関係にある着色顔料を混合し、油溶性染料が有する色と大幅に異なる色の印刷画線を形成することで、有機溶剤と接触させた場合における変色時の色差を、ＪＩＳ表色系に基づくΔＥ２０以上の色差となる変色効果インキを用いた印刷物を提案している（例えば、特許文献２参照）。
【００１０】
前述の特許文献２の印刷物は、例えば、橙色の油溶性染料を用い、油溶性染料と補色の関係にある青色及び黄色の着色顔料と混合することで、灰色のインキを作製し、このインキにより料額又は個人情報等が印刷される領域の下に地紋模様を形成する。この印刷物に対して、偽造者が料額又は個人情報等を有機溶剤への浸漬又は有機溶剤の滴下により改ざんを試みた場合、有機溶剤に触れた地紋模様部分の油溶性染料が溶出することで、灰色から緑色へと変色するため、その大幅な変色効果により印刷物が改ざんされた痕跡が一目でわかるものである。
【先行技術文献】
【特許文献】
【００１１】
【特許文献１】特許第３５４４５３６号公報
【特許文献２】特開２００９−１４９７８９号公報
【発明の概要】
【発明が解決しようとする課題】
【００１２】
しかしながら、特許文献１において開示された技術を用いて作製した印刷物は、カラー複写機を用いて作製した偽造品を、肉眼で真正品と区別することができず、例えば、銀行及び入国管理審査等の各種窓口業務における検査担当者が、赤外線カメラ等の鑑定装置を用いて当該印刷物を照射した際の潜像画像の有無又は変色の有無により、初めて偽造品であることを確認することが可能となる。よって、各種窓口業務では、偽造防止技術に併せた鑑定装置を適宜準備する必要がある。
【００１３】
また、鑑定装置を用いているが、いずれも検査担当者が目視検査により確認することから、偽造品であることを見落とす可能性があるという問題がある。そこで、各種窓口業務では、検査担当者が鑑定装置を用いることなく、目視により瞬時にカラー複写機を用いて複製した偽造品であることを判別することが可能な偽造防止印刷物が求められている。
【００１４】
また、特許文献２に開示されている印刷物は、有機溶剤等を用いた改ざん行為には効果を発揮するものの、複写機等を用いた偽造品に対する効果は全くないため、複製物に印字された情報を改ざんする行為については、防止することができないため、改善が求められている。
【００１５】
さらに、特許文献２の印刷物は、油溶性染料を含む色材により形成した印刷領域が変色することで、印刷物の色自体は変化するものの、印刷画像が変化するものではないため、印刷物を観察する光源等の条件や視感度の差によっては、色変化効果が低減し、改ざんの痕跡を発見することができない可能性があるため、課題が残されていた。
【００１６】
本発明は、上記課題の解決を目的とするものであり、有機溶剤等による改ざんの痕跡が一目でわかるように、有機溶剤への浸漬等による改ざん行為が行われた場合に、地紋模様の色変化にとどまらず、新たな潜像画像が顕像化する潜像画像を有する印刷物を提供することにある。
【課題を解決するための手段】
【００１７】
本発明の潜像画像を有する印刷物は、基材に、少なくとも第１のハーフトーン領域と第２のハーフトーン領域とが隣接するように複数配置されて可視画像と少なくとも一つの潜像画像が形成された印刷物であって、第１のハーフトーン領域は、第１の色材により可視画像を形成する第１の網点部を有し、第２のハーフトーン領域は、油溶性染料を含む第２の色材により第一の潜像画像を形成する第２の網点部と、第２の網点部と隣接する位置に、第２の色材と等色で、かつ、油溶性染料を含有しない第３の色材により、第２の網点部をカムフラージュするための第１の背景部を有し、印刷物を通常光下で観察すると、可視画像が視認され、印刷物を有機溶剤に浸漬するか、又は有機溶剤を滴下すると、第２の色材に含まれる油溶性染料が溶出して色変化することによって、可視画像が形成された領域と少なくとも一部が重複する位置に第一の潜像画像が出現することを特徴とする潜像画像を有する印刷物である。
【００１８】
また、本発明の潜像画像を有する印刷物は、第１のハーフトーン領域に形成された第１の網点部の面積が異なることで階調を有する可視画像が形成され、第２のハーフトーン領域に形成された第２の網点部の面積が異なることで階調を有する第一の潜像画像が形成されたことを特徴とする潜像画像を有する印刷物である。
【００１９】
また、本発明の潜像画像を有する印刷物における第３の色材は、更に特定の条件下において異なる色に変化する機能性材料を含み、印刷物を特定の条件下により観察すると、第２のハーフトーン領域における第１の背景部により形成された第一の潜像画像が視認されることを特徴とする潜像画像を有する印刷物である。
【００２０】
また、本発明の潜像画像を有する印刷物は、第１のハーフトーン領域内に、第３の網点部及び前記第３の網点部と隣接する位置に形成された第２の背景部から成る第３のハーフトーン領域が形成され、第３の網点部は、特定の条件下において異なる色に変化する第２の機能性材料を有する第４の色材により形成されたことで第二の潜像画像を形成し、第２の背景部は、可視光源下において第３の網点部と等色で、かつ、第４の色材が有する第２の機能性材料を有しない第５の色材により形成され、第１の網点部、第２の網点部及び第１の背景部が第４の色材が有する第２の機能性材料を含まないことで、第２の機能性材料を可視化する特定の条件下で観察すると、第３の網点部により形成された第二の潜像画像が更に視認されることを特徴とする潜像画像を有する印刷物である。
【００２１】
また、本発明の潜像画像を有する印刷物は、第３のハーフトーン領域に形成された第３の網点部の面積が異なることで、階調を有する第二の潜像画像が形成されたことを特徴とする潜像画像を有する印刷物である。
【００２２】
また、本発明の潜像画像を有する印刷物における第３の網点部は、特定の条件下において異なる色に変化する第１の機能性材料とは異なる第２の機能性材料を有する第４の色材により形成されたことで第二の潜像画像を形成し、第２の背景部は、可視光源下において第３の網点部と等色で、かつ、第１の機能性材料及び第２の機能性材料を有しない第５の色材により形成され、第１の機能性材料を可視化する特定の条件下で観察すると、第１の背景部により形成された第一の潜像画像が視認され、第２の機能性材料を可視化する特定の条件下で観察すると、第３の網点部で形成された第二の潜像画像が視認されることを特徴とする潜像画像を有する印刷物である。
【００２３】
さらに、本発明の潜像画像を有する印刷物における第３の色材に含まれる第１の機能性材料及び／又は第４の色材に含まれる第２の機能性材料は、赤外線吸収材料、メタメリックペア材料、サーモクロミック材料、発光材料又は光輝性材料から選択されるいずれか１つ又は複数の組み合わせであることを特徴とする潜像画像を有する印刷物である。
【発明の効果】
【００２４】
本発明の潜像画像を有する印刷物は、有機溶剤への浸漬又は有機溶剤の滴下により、可視画像の一部を形成する領域の網点が変色し、可視画像内に新たな潜像画像が顕像化するため、改ざんの痕跡を瞬時に判別することができることから、改ざん防止機能が向上した印刷物となる。
【００２５】
また、本発明の潜像画像を有する印刷物は、特殊な網点構成により作製しているため、改ざん行為により顕像化された潜像画像を分解することが極めて困難であるため、潜像画像が顕像化した印刷物の再利用を確実に防ぐことができる。
【図面の簡単な説明】
【００２６】
【図１】本発明の潜像画像を有する印刷物における網点構成の一例を示す図
【図２】可視画像を形成する網点構成及び可視画像を示す図
【図３】第一の潜像画像を形成する網点構成及び可視画像上に第一の潜像画像が出現した状態を示す図
【図４】第１のハーフトーン領域３に形成する第１の網点部３ａ及び第２のハーフトーン領域４に形成する第２の網点部４ａの形状の一例を示す図
【図５】本発明の印刷物の作製に用いられる装置の構成を示すブロック図
【図６】本発明の印刷物を作製する方法における手順を示すフローチャート
【図７】マスクデータを示す模式図
【図８】マスク処理を示す模式図
【図９】第２の実施形態における印刷物の可視画像を形成する網点構成及び可視画像を示す図
【図１０】第２の実施形態における第一の潜像画像を形成する網点構成及び可視画像上に第一の潜像画像が出現した状態を示す図
【図１１】第２の実施形態における印刷物を赤外光下で観察した場合に視認される網点構成及び第一の潜像画像を示す図
【図１２】第３の実施形態の印刷物における網点構成を示す図
【図１３】第３の実施形態における可視画像を形成する網点構成及び可視画像を示す図
【図１４】第３の実施形態における第一の潜像画像を形成する網点構成及び可視画像上に第一の潜像画像が出現した状態を示す図
【図１５】第３の実施形態における印刷物を赤外光下で観察した場合に視認される網点構成及び第二の潜像画像を示す図
【発明を実施するための形態】
【００２７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２８】
（第１の実施形態）
本発明の潜像画像を有する印刷物（以下「印刷物」という。）は、通常光下で観察される画像（以下「可視画像」という。）と、印刷物を有機溶剤等に浸漬するか、又は有機溶剤等を滴下することで、印刷物に印字された情報を消去して新たな情報に書き換えるといった、いわゆる、改ざんを試みた印刷物（以下「改ざん物」という。）に出現する画像（以下「第一の潜像画像」という。）が形成された印刷物であり、可視画像６を形成する第１のハーフトーン領域３と第一の潜像画像７を形成する第２のハーフトーン領域４を重なり合うことなく均等に複数規則的に配置することで、二つの独立した画像を形成する画像要素が同一の領域内に形成されたものである。
【００２９】
本発明の第一の潜像画像７は、水不溶性有機溶剤可溶型の油溶性染料を含有する第２の色材により形成されたものである。本発明に用いる第２の色材に含有する油溶性染料は、水不溶性で、かつ、有機溶剤可溶性であれば公知のものを使用することができるが、好ましくは、ケトン類及びエステル類等の有機溶剤に対して溶解性を示すものである。また、使用する油溶性染料は、一種類でも可能であるが、二種類以上使用することが好ましい。油溶性染料の中には、特定の有機溶剤に溶解しないものがあるため、一種類では公知の有機溶剤の全てに反応させることが困難な場合もあるからである。
【００３０】
油溶性染料は、主として有機溶剤、合成樹脂及び油脂等の着色に用いられる染料であって、多くの場合、単なる溶解現象により目的物を着色する点に特徴がある。また、ここでいう油溶とは、油脂類に溶解するという狭義の意味だけではなく、水以外の多くの有機溶剤に溶解性をもつ意味も含んでいる。すなわち、水溶性基がなく、油脂類や炭化水素類に可溶な染料であり、油脂、ガソリン、セッケン、バター、クツ墨及びプラスチック等の着色に用いられるものである。
【００３１】
また、一般的な油溶性染料は、化学構造により種類が分類されており、黄、オレンジ、褐色及び赤系には、アゾ系の染料が多く、紫、青及び緑系には、アントラキノン系及びフタロシアニン系が多く、黒系には、ニグロシン等アジン系に属するものも含まれている。本発明で用いられている油溶性染料は、どの有機溶剤に溶解するか「染料便覧」（有機合成化学協会編「染料便覧」：丸善、１９７０年発行）に記載されており、カラーインデックス（Ｃ．Ｉ．番号）によりその種類を特定できる。一例として、Ｃ．Ｉ．１２７１５の赤色染料は、アセトン、エタノール及びセロソルブ系等の有機溶剤に溶解するものである。また、Ｃ．Ｉ．１２１９５の黒色染料は、低級脂肪族アルコール、グリコール、エーテル、エステル及びケトン類の有機溶剤に溶解するものである。
【００３２】
なお、有機溶剤としては、エチルアルコール、イソプロピルアルコール、ノルマルプロピルアルコール及びブチルアルコール等といったアルコール類のような極性溶剤、ベンゼン、トルエン及びキシレン等といった芳香族炭化水素類のような非極性溶剤、ガソリン、石油、ベンジン及びミネラルスピリット等の脂肪族炭化水素類、トリクロロエチレン、パークロロエチレン及びクロロホルム等といったハロゲン化炭化水素類、アセトン、アセトニトリル、ジイソブチルケトン、ジエチルケトン及びジプロピルケトン等といったケトン類、酢酸エチル及び酢酸ブチル等の酢酸エステル類等の公知の有機溶剤が挙げられる。
【００３３】
また、第一の潜像画像を形成する第２の色材は、前述した油溶性染料の他に、有機溶剤に不溶で、かつ、油溶性染料と異なる色の色材を含むことが可能であり、好ましくは、油溶性染料と補色の関係にある色材を添加することで、有機溶剤等により油溶性染料が溶出する一方、有機溶剤に不溶な色材による色変化が明確になる。また、有機溶剤に溶解しなければ特に限定されず、粉末又は水性スラリーやプレスケーキといった水に分散した状態の顔料であってもよく、有機顔料及び無機顔料等は、公知の顔料を色材として使用することができる。例えば、グラビアインキであれば、カーボンブラック、フタロシアニンブルー、フタロシアニングリーン、パーマネントレッド、ジオキサジン系、キナクリドン系、アゾ系金属錯体及びスレンブルー等の顔料を使用することができる。なお、後述する実施形態においては、第２の網点部４ａを形成する第２の色材に油溶性染料と、当該油溶性染料と異なる色で、かつ、有機溶剤に不溶な色材を含む構成により説明する。
【００３４】
また、本発明の網点構成を形成する色材としては、公知のグラビアインキ、スクリーンインキ、プロセスインキ及びインクジェットプリンタ用インク等を使用することができる。また、基材２にそれぞれの領域を形成する方法としては、オフセット印刷方式、グラビア印刷方式、スクリーン印刷方式、フレキソ印刷方式、インクジェットプリンタ及びレーザプリンタ等、特に限定されるものではない。
【００３５】
図１は、本発明の印刷物における基本的な網点構成の拡大図を示したものであり、第１のハーフトーン領域３に形成された第１の網点部３ａと、改ざん物９において第一の潜像画像７を形成する第２のハーフトーン領域４における第２の網点部４ａと、第２の網点部４ａを形成する色材と等色で、かつ、油溶性染料を含まない第３の色材によって形成された第１の背景部４ｂを少なくとも備えている。
【００３６】
本発明の印刷物１において観察される可視画像と第一の潜像画像７について、図２及び図３を用いて説明する。図２（ａ）は、印刷物１を通常光下で観察した場合に観察される網点構成を拡大したものであり、第１のハーフトーン領域３に形成された第１の網点部３ａは、可視画像６を形成する網点として観察される。一方、第２のハーフトーン領域４は、油溶性染料を含む第２の色材により形成された第２の網点部４ａと、第２の網点部４ａと等色で、かつ、油溶性染料を含まない第３の色材により第１の背景部４ｂが形成されているため、印刷物１を通常光下で観察した場合に、第２のハーフトーン領域４内において第２の網点部４ａと第１の背景部４ｂに色差が生じないことから、第一の潜像画像７を形成する第２の網点部４ａが観察されない状態である。よって、印刷物１を通常光下で観察した場合、図２（ｂ）に示すように、第１のハーフトーン領域３の第１の網点部３ａにより形成された可視画像６が観察される。
【００３７】
図３（ａ）は、印刷物を有機溶剤等に浸漬するか、又は有機溶剤等を滴下した改ざん物９における網点構成の拡大図を示すものであり、第１のハーフトーン領域３に形成された第１の網点部３ａは、油溶性染料を含まない、いわゆる、一般的な色材である第１の色材によって形成されているため、図２（ａ）に示した印刷物１を通常光下で観察した際と同様に、有機溶剤等に浸漬するか、又は有機溶剤等を滴下しても、第１の網点部３ａは色変化しないことから、可視画像６を形成する第１の網点部３ａとして観察されるが、第２のハーフトーン領域４における第２の網点部４ａは、有機溶剤等に浸漬するか、又は有機溶剤等を滴下した場合に、第２の網点部４ａを形成する第２の色材に含まれる油溶性染料が溶出し、第２の網点部４ａの色が第２の色材に含まれる有機溶剤に不溶な色材の色に変化するため、第２のハーフトーン領域４における第１の背景部４ｂと異なる色へと変化することで、第２の網点部４ａと第１の背景部４ｂに色差が発生する。
【００３８】
よって、図３（ｂ）に示すように、第１のハーフトーン領域３における第１の網点部３ａにより形成された可視画像６と、第２のハーフトーン領域４における第２の網点部４ａにより形成された第一の潜像画像７が観察された状態である。なお、本発明の潜像画像を有する印刷物の特徴として、印刷物１の印刷領域内において可視画像６を形成する第１のハーフトーン領域３と、第一の潜像画像７を形成する第２のハーフトーン領域４を重なり合うことなく均等に配置したことで、同一の領域内に形成された可視画像６上に第一の潜像画像７が出現するものである。
【００３９】
本発明における等色とは、色差ΔＥが６未満のことを指し、色差とは、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差、及びｂ＊の差をそれぞれ二乗して加え、その平方根をとることで求めることができる。
【００４０】
一般的に、色差ΔＥが６前後の場合においては、異なった色として視認される可能性がある。ただし、前述のとおり、本発明においては、第１のハーフトーン領域３及び第２のハーフトーン領域４は、肉眼ではそれぞれの領域を区別して視認することができない微細な網点により構成している。そのことから、前述のとおり、色差ΔＥが６未満であれば、通常光下において、肉眼で第２の網点部４ａを視認することができず、かつ、第２の網点部４ａ及び第１の背景部４ｂは、等色として視認される。
【００４１】
一方、油溶性染料を含む第２の色材によって形成された第２の網点部４ａは、有機溶剤等に浸漬するか、又は有機溶剤等を滴下した際に第１の背景部４ｂと異なる色へと変化した状態として視認される。なお、本発明における異なる色とは、色差ΔＥが６以上のことを指し、色差ΔＥが６未満の場合においては、前述のとおり等色として視認される。
【００４２】
また、本発明の印刷物１における第１の網点部３ａ及び第２の網点部４ａは、図４（ａ）のように、各々のハーフトーン領域の中心に形成された例で説明しているが、図４（ｂ）のように、各々のハーフトーン領域の中心を除く外側に形成することや、各々のハーフトーン領域を二つ以上に分割して形成することも可能であり、これらの配置としても同様の効果を得る。
【００４３】
なお、前述した第１の実施形態では、第１のハーフトーン領域３よりも第２のハーフトーン領域４が小さい状態の例で説明したが、第１のハーフトーン領域３と第２のハーフトーン領域４の大きさが同一であってもよく、第１のハーフトーン領域３よりも第２のハーフトーン領域４が大きい状態であっても同様の効果を得る。ただし、第２のハーフトーン領域４が第１のハーフトーン領域３よりも大きい場合は、可視画像６内に等色の第２の網点部４ａ及び第１の背景部４ｂにより形成された第２のハーフトーン領域４が強調され、可視画像６のノイズとなるため、好ましくは、第１のハーフトーン領域３＞第２のハーフトーン領域４である。
【００４４】
次に、本実施の形態による印刷物１の作製に用いられる装置について、その構成を示した図５を用いて説明する。この作製装置は、入力部４０１、処理部４０２、記憶部４０３及び出力部４０４を備えている。入力部４０１は、本実施の形態の印刷物１の作製に必要なデータを入力し、処理部４０２に与える。処理部４０２は、与えられたデータを記憶部４０３に格納するとともに、印刷物１の作製に必要な演算処理及び画像処理等を行い、得られた結果を出力部４０４に与える。出力部４０４は、処理部４０２から与えられたデータを外部の印刷機等（図示せず）により出力する。
【００４５】
このような作製装置を用いて、本実施の形態による印刷物１を作製する方法について、その手順を示した図６を用いて説明する。図６におけるステップＳ１１として、第１のハーフトーン領域３が形成する可視画像に対応する原画像として、第１の画像データである可視画像データ処理部４０２が作製するか、又は外部から可視画像データとして入力部４０１より入力し、処理部４０２を介して網点化された可視画像を記憶部４０３に格納する。次に、ステップＳ１２として、記憶部４０３に格納された可視画像を基に、第１のハーフトーン領域３内に形成する第１の網点部３ａの位置、形状及び寸法を、処理部４０２を介して記憶部に格納する。
【００４６】
次に、ステップＳ１３として、第２のハーフトーン領域４が形成する第一の潜像画像に対応する原画像として、第２の画像データである潜像画像データを処理部４０２が作製するか、又は外部から潜像画像データとして入力部４０１より入力し、処理部４０２を介して網点化された第一の潜像画像を記憶部４０３に格納する。ステップＳ１４として第２のハーフトーン領域４のみをマスク処理したマスクデータを処理部４０２によって作製するか、又は外部からマスクデータとして入力部４０１より入力し、処理部４０２を介して記憶部４０３に格納する。
【００４７】
次に、ステップＳ１５として、記憶部４０３に格納された網点化された第一の潜像画像データ及びマスクデータを基に、第２のハーフトーン領域４内に形成する第２の網点部４ａ及び第１の背景部４ｂの位置、形状及び寸法を、処理部４０２を介して記憶部に格納する。
【００４８】
次に、ステップＳ１６として、前述までのステップで記憶部４０３に格納された第１のハーフトーン領域３のデータと、第２のハーフトーン領域４のデータを合成し、ステップＳ１７により、外部の印刷機等の出力部４０４から出力して網点印刷物が完成する。前述のステップＳ１６により、二つのデータを合成する方法としては、二つのデータに共通する位置として、少なくとも任意の三つの点を各々のハーフトーン領域データにおけるそれぞれの基準点に設定することで、二つのデータを合成する方法を用いる。なお、基準点の設定方法については、特開２０１１−１４０２１７号において記載されている方法を用いることで設定することができる。
【００４９】
図７は、マスクデータを示す模式図である。マスクデータは、複数の第２のハーフトーン領域４へ第一の潜像画像７を配置する際に用いる画像である。マスクデータは、あらかじめ作製しておいたフォーマットデータを用いて生成される。なお、フォーマットデータとは、本発明における印刷物１を構成している複数の第１のハーフトーン領域３及び複数のハーフトーン領域４を、どのように配置するかを設定することで、フォーマットデータが生成される。フォーマットデータは、複数の画素によって構成される。このフォーマットデータにおける複数の第１のハーフトーン領域３の配置箇所の画素を白画素とし、複数の第２のハーフトーン領域４の配置箇所の画素のみを黒画素とすることで、マスクデータが生成される。マスクデータは、各原画像データの基準点と対応する基準点（Ｐ１、Ｐ２及びＰ３）を有する。
【００５０】
マスク処理とは、潜像画像データに対して、マスクデータの白画素に対応する部分を全て白画素に置き換える処理を施すことであり、第２の画像データのうち、複数の第１のハーフトーン領域に相当する部分を全て白色に置き換えるものである。それにより、第２の画像データは、複数の第２のハーフトーン領域４内に配置された第２の網点部４ａのみから成る画像へと変換され、第１の画像データ及び第２の画像データを形成する複数の各網点を、重なり合うことなく印刷領域内へ均等配置することが可能となる。
【００５１】
図８は、一例として第一の潜像画像７を生成するためのマスク処理を示す模式図である。マスク処理においては、処理部４０２へ入力した図８（ａ）に示すマスクデータの基準点（Ｐ１、Ｐ２及びＰ３）と、図８（ｂ）に示すマスクデータと対応する潜像画像データの基準点（Ｐ１´、Ｐ２´及びＰ３´）とを合わせる。二つの画像を合わせた際に、同じ位置となる二つの画素のうち、マスクデータを構成する画素が黒画素ならば、潜像画像データを構成する画素を残す。また、マスクデータを構成する画素が白画素ならば、潜像画像データを白画素とする。マスク処理を行うことで、潜像画像データのうち、第２のハーフトーン領域４に相当しない部分である、第１のハーフトーン領域３を形成する画素は、白画素となる。よって、図８（ｃ）に示す複数の第２のハーフトーン領域４から成る潜像画像データが生成される。
【００５２】
（第２の実施形態）
第２の実施形態における印刷物について説明する。なお、第２の実施形態における印刷物については、第１の実施形態の変形例であるため、同一な構成は省略し、異なる構成のみ説明する。第２の実施形態における印刷物は、第１のハーフトーン領域３及び第２のハーフトーン領域４における第２の網点部４ａの構成は第１の実施形態と同様であるが、第２のハーフトーン領域４における第１の背景部４ｂを形成する色材に、特定の観察条件のみにより観察される第１の機能性材料を含有させることで、印刷物に改ざん行為を行った改ざん物９でなくとも、印刷物１を特定の観察条件で観察することで、第一の潜像画像７を観察するものである。なお、第２の実施形態で用いる第１の機能性材料については、赤外領域で吸収特性を有する機能性材料を用いた。
【００５３】
赤外領域で吸収特性を有する機能性材料としては、インジウム系化合物、ジルコニウム系化合物、アントラキノン系化合物、ニッケル酸化チタン焼成物、金属錯体、ＩＴＯ及びカーボンブラック等があげられる。
【００５４】
図９（ａ）は、第２の実施形態における印刷物１を通常光下で観察した場合に観察される網点構成を拡大したものであり、第１のハーフトーン領域３に形成された第１の網点部３ａは、赤外領域において吸収特性を有しない一般的な色材である第１の色材によって形成されているため、可視画像６を形成する網点として観察される。一方、第２のハーフトーン領域４は、第２の網点部４ａに形成される第２の色材と等色で、かつ、赤外領域において吸収特性を有する色材により、第１の背景部４ｂを形成しているため、第２のハーフトーン領域４内において第２の網点部４ａと第１の背景部４ｂに色差が生じないことから、第一の潜像画像７を形成する第２の網点部４ａが観察されない状態である。よって、印刷物１を通常光下で観察した場合、図９（ｂ）に示すように、第１のハーフトーン領域３の第１の網点部３ａにより形成された可視画像６が観察される。
【００５５】
図１０（ａ）は、印刷物１を有機溶剤等に浸漬するか、又は有機溶剤等を滴下した改ざん物９における網点構成の拡大図を示すものであり、第１のハーフトーン領域３に形成された第１の網点部３ａは、有機溶剤等に浸漬するか、又は有機溶剤等を滴下しても色変化しないため、図９（ａ）に示した印刷物１を通常光下で観察した際と同様に、可視画像６を形成する網点として観察されるが、第２のハーフトーン領域４における第２の網点部４ａは、有機溶剤等に浸漬するか、又は有機溶剤等を滴下した場合に第２の網点部４ａを形成する第２の色材に含まれる油溶性染料が溶出することで、第２の網点部４ａの色が第２の色材に含まれる有機溶剤に不溶な色材の色に変化するため、第２のハーフトーン領域４における第１の背景部４ｂと異なる色へと変化することから、第２の網点部４ａと第１の背景部４ｂに色差が発生する。よって、図１０（ｂ）に示すように、第１のハーフトーン領域３における第１の網点部３ａと、第２のハーフトーン領域４における第２の網点部４ａを重なり合うことなく均等に配置したことで、同一の領域内に形成された可視画像６上に第一の潜像画像７が出現する。
【００５６】
図１１（ａ）は、印刷物１を赤外線カメラ等の判別具を介して観察（以下「赤外光下」という。）した場合に観察される網点構成を拡大したものであり、第１のハーフトーン領域３に形成された第１の網点部３ａは、赤外領域において吸収特性を有さない一般的な色材によって形成されているため、赤外光下において観察されない。また、第２のハーフトーン領域４における第２の網点部４ａについては、油溶性染料は含むものの、赤外領域で吸収特性を有さない色材で構成されていることから、第１の網点部３ａと同様に赤外光下において観察されない。一方、第２のハーフトーン領域４における第１の背景部４ｂは、赤外領域において吸収特性を有する第１の機能性材料を含む第３の色材によって形成されているため、赤外領域において吸収特性を有する色材によって形成された第１の背景部４ｂにより、第一の潜像画像７のみが観察される。なお、第２の実施形態における赤外光下で観察される第一の潜像画像７については、印刷物１を観察した場合として説明したが、有機溶剤等へ浸漬するか、又は有機溶剤等の滴下を行った改ざん物９を赤外光下で観察した場合であっても、第１の背景部４ｂに含まれる赤外領域において吸収する色材は溶出しないため、同様の第一の潜像画像７を観察することができる。
【００５７】
（第３の実施形態）
第３の実施形態における印刷物１について説明する。なお、第３の実施形態における印刷物１については、第１の実施形態の変形例であるため、同一な構成は省略し、異なる構成のみ説明する。第１の実施形態においては、第１のハーフトーン領域３と第２のハーフトーン領域４により、可視画像６と第一の潜像画像７が形成されたものであるが、第３の実施形態では、更に第３のハーフトーン領域５を設けることで、第１の実施形態における改ざん物９に出現する第１の潜像画像７と異なる第二の潜像画像８が形成されたものである。
【００５８】
図１２は、第３の実施形態における網点構成の一例を拡大したものであり、第１のハーフトーン領域３に形成された第１の網点部３ａと、改ざん物９において第一の潜像画像７を形成する第２のハーフトーン領域４における第２の網点部４ａ及び第１の背景部４ｂに加え、第３のハーフトーン領域５における第３の網点部５ａ及び第２の背景部５ｂが形成されたものである。第３のハーフトーン領域５における第３の網点部５ａについては、第２の実施形態における第１の背景部４ｂを形成した赤外領域で吸収特性を有する第１の機能性材料を含有する色材により形成し、第２の背景部５ｂは、赤外領域で吸収特性を有さず、かつ、第３の網点部５ａと等色の色材により形成している。なお、前述した第２の実施形態では、第１の背景部４ｂが赤外領域で吸収特性を有する第１の機能性材料を含んだ第３の色材により形成された例で説明したが、本第３の実施形態においては、第１の背景部４ｂを形成する第３の色材には第１の機能性材料を含んではいない。
【００５９】
図１３（ａ）は、第３の実施形態における印刷物１を通常光下で観察した場合に観察される網点構成を拡大したものであり、第１のハーフトーン領域３に形成された第１の網点部３ａは、赤外領域で吸収特性を有しない、いわゆる、一般的な色材によって形成されているため、可視画像６を形成する第１の網点部３ａとして観察される。一方、第２のハーフトーン領域４は、油溶性染料を含み、かつ、赤外領域において吸収特性を有しない第２の色材により形成された第２の網点部４ａと、第２の網点部４ａと等色で、油溶性染料を含まず、かつ、赤外領域で吸収特性を有しない色材により形成された第１の背景部４ｂを有しているため、第２のハーフトーン領域４内において第２の網点部４ａと第１の背景部４ｂに色差が生じないことから、第一の潜像画像７を形成する第２の網点部４ａが観察されない状態である。
【００６０】
また、第３のハーフトーン領域５は、赤外領域において吸収特性を有し、かつ、油溶性染料を含まない第４の色材により形成された第３の網点部５ａと、第３の網点部５ａと等色で、油溶性染料を含まず、かつ、赤外領域において吸収特性を有しない色材によって形成された第２の背景部５ｂを有していることから、赤外光下においては、異なる色として観察されるものの、可視光下では、等色として観察されるため、第３のハーフトーン領域５内において第３の網点部５ａ及び第２の背景部５ｂに色差が生じない。よって、第二の潜像画像８を形成する第３の網点部５ａが観察されず、図１３（ｂ）に示すように、第１のハーフトーン領域３の第１の網点部３ａにより形成された可視画像６が観察される。
【００６１】
図１４（ａ）は、印刷物１を有機溶剤等に浸漬するか、又は有機溶剤等を滴下した改ざん物９における網点構成の拡大図を示すものであり、第１のハーフトーン領域３に形成された第１の網点部３ａは、有機溶剤等に浸漬するか、又は有機溶剤等を滴下しても色変化しないため、図１３（ａ）に示した印刷物１を通常光下で観察した際と同様に、可視画像６を形成する網点として観察されるが、第２のハーフトーン領域４における第２の網点部４ａは、有機溶剤等に浸漬するか、又は有機溶剤等を滴下した場合に、第２の網点部４ａを形成する色材に含まれる油溶性染料が溶出することで、第２の網点部４ａの色が変化するため、第２のハーフトーン領域４における第１の背景部４ｂと異なる色へと変化することから、第２の網点部４ａと第１の背景部４ｂに色差が発生する。
【００６２】
また、第３のハーフトーン領域５の第３の網点部５ａ及び第２の背景部５ｂを形成している色材は、有機溶剤等へ浸漬するか、又は有機溶剤等を滴下した際に色変化する色材ではないため、第３のハーフトーン領域５内において第３の網点部５ａ及び第２の背景部５ｂに色差が生じないことから、第二の潜像画像８を形成する第３の網点部５ａが観察されない状態である。よって、図１４（ｂ）に示すように、第１のハーフトーン領域３における第１の網点部３ａによって形成された可視画像６と、第２のハーフトーン領域４における第２の網点部４ａによって形成された第一の潜像画像７が観察された状態であり、これら二つの画像は、印刷領域内に形成する第１のハーフトーン領域３と第２のハーフトーン領域４を重なり合うことなく均等に配置したことで、同一の領域内に形成された可視画像６上に第一の潜像画像７が出現する。
【００６３】
図１５（ａ）は、印刷物１を赤外光下で観察した場合の網点構成の拡大図を示すものであり、第１のハーフトーン領域３及び第２のハーフトーン領域４に形成された第１の網点部３ａ、第２の網点部４ａ及び第１の背景部４ｂは、赤外領域において吸収特性を有する機能性材料を含まない色材により形成されているため、赤外光下において観察されない。
【００６４】
また、第３のハーフトーン領域５に形成された第３の網点部５ａは、赤外領域において吸収特性を有する第１の機能性材料を含む色材により形成されているため、赤外光下において暗い色（黒色）として観察されるが、第２の背景部５ｂは、赤外領域において吸収特性を有しない色材により形成されているため、観察されない状態である。よって、図１４（ｂ）に示す第一の潜像画像７と全く異なる第二の潜像画像８が出現する。
【００６５】
第３の実施形態では、第３のハーフトーン領域５における第３の網点部５ａ及び第２の背景部５ｂを形成する色材を赤外線透過、吸収ペアの色材により形成したが、二つの領域を形成する色材として、メタメリックペアの色材、サーモクロミック、蛍光等の発光特性を有する色材及び光輝性材料を含む色材を用い、これらの材料が有する変色効果が出現する各々の観察条件により観察することで、第二の潜像画像８を出現させることも可能である。また、第３の網点部５ａについては、第３のハーフトーン領域５の中心に形成された例で説明したが、図４に示す第１の網点部３ａ及び第２の網点部４ａの変形例と同様に、第３のハーフトーン領域５の中心を除く外側に形成することや、各々の第３のハーフトーン領域５を二つ以上に分割して形成することも可能であり、これらの配置としても同様の効果を得る。
【００６６】
第２の実施形態では、第２のハーフトーン領域４における第１の背景部４ｂを形成する第３の色材に第１の機能性材料を含んだ形態として説明し、また、第３の実施形態では、第３の色材には、機能性材料は含まず、新たに形成した第３のハーフトーン領域５における第３の網点部５ａを形成する第４の色材に第１の機能性材料を含んだ形態として説明したところであるが、それぞれが単独で異なる機能性材料を用いても良いが、第３の色材及び第４の色材両方に機能性材料を含ませても良い。
【００６７】
第３の色材と第４の色材両方に機能性材料を含有させる場合には、第３の色材に含有する第１の機能性材料と第４の色材に含有する第２の機能性材料は異なる機能性材料とする必要がある。異なる機能性材料を用いないと、機能性材料を可視化する特定の条件下で観察しても、第一の潜像画像７と第二の潜像画像８の両方が重複して視認されてしまい、それぞれの潜像画像を明確に視認することができないからである。
【００６８】
このように、第３の色材に第１の機能性材料を含有して第１の背景部４ｂを形成し、第４の色材に、第１の機能性材料とは異なる第２の機能性材料を含有して第３の網点部５ａを形成することで、印刷物１は、通常光下で観察すると可視画像６が視認され、有機溶剤に浸漬するか、又は有機溶剤を滴下すると、第２の網点部４ａで形成された第一の潜像画像７が、可視画像６が形成された領域と少なくとも一部が重複する位置に出現し、また、第１の機能性材料を可視化する特定の条件下で観察すると、第１の背景部４ｂで形成された第一の潜像画像７が視認され、さらに、第２の機能性材料を可視化する特定の条件下で観察すると、第３の網点部５ａで形成された第二の潜像画像８を視認することができることとなる。
【００６９】
また、第３の実施形態では、第１のハーフトーン領域３内に第３のハーフトーン領域５を形成した例で説明したが、第１のハーフトーン領域３と第２のハーフトーン領域４に跨る位置や、独立した領域として第１のハーフトーン領域３及び第２のハーフトーン領域４と隣接する位置に形成することも可能である。
【００７０】
また、第３の実施形態では、第３のハーフトーン領域５を追加することで、第一の潜像画像７と異なる第二の潜像画像８を出現させる例を説明したが、更に、第４のハーフトーン領域、第ｎのハーフトーン領域（ｎは、５以上の整数）・・・と、印刷物上に新たなハーフトーン領域を形成することができる可能な範囲内で新たな潜像画像を追加することができる。
【符号の説明】
【００７１】
１          印刷物
２          基材
３          第１のハーフトーン領域
３ａ        第１の網点部
４          第２のハーフトーン領域
４ａ        第２の網点部
４ｂ        第１の背景部
５          第３のハーフトーン領域
５ａ        第３の網点部
５ｂ        第２の背景部
６          可視画像
７          第一の潜像画像
８          第二の潜像画像
９          改ざん物
【図１】
0005857380.tif 000002
【図２】
0005857380.tif 000003
【図３】
0005857380.tif 000004
【図４】
0005857380.tif 000005
【図５】
0005857380.tif 000006
【図６】
0005857380.tif 000007
【図７】
0005857380.tif 000008
【図８】
0005857380.tif 000009
【図９】
0005857380.tif 000010
【図１０】
0005857380.tif 000011
【図１１】
0005857380.tif 000012
【図１２】
0005857380.tif 000013
【図１３】
0005857380.tif 000014
【図１４】
0005857380.tif 000015
【図１５】
0005857380.tif 000016